(57)【要約】【課題】従来の液浸式露光装置は投影光学系終端部と露光基板の間の液膜の維持が困難であった。【解決手段】液浸式露光装置において、投影光学系終端部と露光基板の間の液膜の消失を検知する液膜検知手段を有する構成とした。【選択図】      図１
2005019616.tif 000002
【特許請求の範囲】
【請求項１】
マスクのパターンを基板に投影する投影光学系を有し、該投影光学系終端部と前記基板との間の所定の領域に液膜を形成して露光を行なう露光装置において、
前記液膜の少なくとも一部の消失を検知する液膜検知手段を有することを特徴とする露光装置。
【請求項２】
前記液膜検知手段の検知結果に基づいて、前記液膜が消失した位置を推定する消失位置推定手段を有することを特徴とする請求項１に記載の露光装置。
【請求項３】
前記消失位置推定手段の推定結果に応じて、前記基板の各ショット領域が有効に露光されたか判断することを特徴とする請求項２に記載の露光装置。
【請求項４】
前記消失位置推定手段の推定結果に応じて、前記液膜を回復させる処理を行なうことを特徴とする請求項２に記載の露光装置。
【請求項５】
前記液膜検知手段の少なくとも一部は、前記液膜で満たされた領域内に配置されていることを特徴とする請求項１に記載の露光装置。
【請求項６】
前記投影光学系終端部と前記基板との間を液膜で満たさない状態で、前記液膜検知手段の特性を測定することを特徴とする請求項１に記載の露光装置。
【請求項７】
前記投影光学系終端部は、該投影光学系の前記基板側の光学素子であることを特徴とする請求項１に記載の露光装置。
【請求項８】
前記所定の領域は前記基板の露光領域を含むことを特徴とする請求項１に記載の露光装置。
【請求項９】
請求項１記載の露光装置を用いて基板を露光する工程と、該露光した基板を現像する工程とを有することを特徴とするデバイス製造方法。
【発明の詳細な説明】
【０００１】
【発明の属する技術分野】
本発明は、例えば、半導体集積回路、撮像素子（ＣＣＤ等）、液晶表示素子、又は薄膜磁気ヘッド等のデバイスを製造するためのリソグラフィー工程で用いられる投影露光装置に関し、特に投影光学系と基板との間の光路中の少なくとも一部分に位置する液体を介して露光を行なう液浸式露光装置に関するものである。
【０００２】
【従来の技術】
露光装置に要求される解像度が高まるにつれ、露光波長はますます短くなってきている。露光波長が短くなるとその波長に対して透明なレンズ材料を開発・製造することが困難になるため、投影光学系がコスト高になり、近年の露光装置は高額なものになる傾向がある。
【０００３】
この点に鑑み、従来と同様な投影露光系を用いながら露光基板面における光の波長を実質的に短くし、解像度を向上させる露光装置として、液浸式露光装置が提案されている。
【０００４】
液浸式露光装置においては投影光学系の基板側の光学素子の先端部（投影光学系終端部）とその基板の間の少なくとも一部分が液体で満たされている。この液体の屈折率をＮとすると、液体中での露光光の波長は空気中の１／Ｎになるため、従来の露光装置の構成を大きく変えることなく解像度を向上させることができる。
【０００５】
たとえば、レンズの先端近傍に設けたノズルから液体を流し、レンズと露光基板の間だけに液体を保持する構成の装置が提案されている（例えば、特許文献１参照。）。
【０００６】
また、基板を所定方向に沿って移動させる際に、投影光学系の基板側の光学素子の先端部と基板の表面との間を満たすように、基板の移動方向に沿って所定の液体を流す液浸式露光装置が提案されている（例えば、特許文献２参照。）。
さらに、露光基板全体を液体に浸す構成の装置が提案されている（例えば、特許文献３参照。）。
【０００７】
【特許文献１】
特公昭６３−４９８９３号公報
【特許文献２】
国際公開第９９／４９５０４号パンフレット
【特許文献３】
特開平６−１２４８７３号公報
【０００８】
【発明が解決しようとする課題】
投影光学系終端部と露光基板の間だけに液体を保持する方式の液浸式露光装置において所望の精度で露光を行なうためには、投影光学系終端部と露光基板の間に形成される液膜の維持が必須である。
【０００９】
半導体製造においては、マスクとウエハとを同期走査して露光を行なうステップアンドスキャン方式の露光装置が近年主流である。ステップアンドスキャン方式の液浸式露光装置を構成した場合、露光中に露光基板が移動しつづけるため液膜の維持がむずかしい。しかも、もし液膜が一部でも消失したならただちに露光不良となってしまう。したがって液膜を適切に維持する手段が望まれていた。
【００１０】
本発明は斯かる点に鑑み、投影光学系終端部と露光基板の間の液膜を適切に維持することのできる露光装置を提供することを例示的な目的とする。
【００１１】
また、本発明はそのような露光装置を用いた高機能のデバイスの製造方法を提供することをも別の例示的な目的とする。
【００１２】
【課題を解決するための手段】
本発明の一側面としての第１の露光装置は、マスクのパターンを基板に投影する投影光学系を有し、該投影光学系終端部と前記基板との間の所定の領域に液膜を形成して露光を行なう露光装置において、前記液膜の少なくとも一部の消失を検知する液膜検知手段を有することを特徴とする。
【００１３】
また、本発明の別の一側面としての第２の露光装置は、第１の露光装置において、前記液膜検知手段の検知結果に基づいて前記液膜が消失した位置を推定する消失位置推定手段を有することを特徴とする。
【００１４】
また、本発明の別の一側面としての第３の露光装置は、第２の露光装置において、前記消失位置推定手段の推定結果に応じて、前記基板の各ショット領域が有効に露光されたか判断することを特徴とする。
【００１５】
また、本発明の別の一側面としての第４の露光装置は、第２の露光装置において、前記消失位置推定手段の推定結果に応じて、前記液膜を回復させる処理を行なうことを特徴とする。
【００１６】
また、本発明の別の一側面としての第５の露光装置は、第１の露光装置において、前記液膜検知手段の少なくとも一部（全部含む）は、前記液体で満たされた（前記液膜で満たされる予定の領域も含む）領域内に配置されていることを特徴とする。
【００１７】
また、本発明の別の一側面としての第６の露光装置は、第１の露光装置において、（露光を行なう前に）前記投影光学系終端部と前記基板との間を液膜で満たさない状態で、前記液膜検知手段の特性を測定することを特徴とする。
【００１８】
また、本発明の別の一側面としての第７の露光装置は、第１の露光装置において、前記投影光学系終端部は、該投影光学系の前記基板側の光学素子であることを特徴とする。
【００１９】
また、本発明の別の一側面としての第８の露光装置は、第１の露光装置において、前記所定の領域は前記基板の露光領域を含むことを特徴とする。
【００２０】
さらに、本発明の別の一側面としてのデバイス製造方法は、上記第１の露光装置を用いて基板を露光する工程と、該露光した基板を現像する工程とを有することを特徴とする。
【００２１】
本発明の更なる目的又はその他の特徴は、添付図面を参照して説明される以下の好ましい実施の形態によって明らかにされるであろう。
【００２２】
【発明の実施の形態】
本発明の好ましい実施の形態の詳細について、添付の図面をもとに、以下説明する。
【００２３】
図１は本発明による液浸式露光装置の一実施形態の全体構成を示す図であり、紙面の上下方向（ｚ方向）が実際の垂直方向に対応する。
【００２４】
まず全体を概説するために、液膜検知手段を除く部分の動作を説明する。
【００２５】
照明装置ＩＳからの露光光は原版としてのマスク（レチクル）Ｍを照明し、マスクＭのパターンは投影光学系ＰＬによって縮小されて感光性の基板としてのレジストが塗布されたウエハ（又はガラスプレート等）Ｗに投影され転写される。ここで、照明装置ＩＳは光源（例えばＡｒＦエキシマレーザー（波長約１９３ｎｍ）や、ＫｒＦエキシマレーザー（波長約２４８ｎｍ））とその光源からの光でマスクを照明するための照明系とを有する。
【００２６】
マスクＭはマスクステージＭＳによって位置調整される。投影光学系終端部６は投影光学系ＰＬの一部をなし、例えば光学素子としてのレンズからなり、最もウエハに近い位置に配置されている部材である。投影光学系終端部６の下面すなわちウエハＷと対向する面は平面になっている。ウエハＷは水平方向に関してＸＹステージＸＹＳによって位置調整され、垂直方向に関してはＺステージＺＳによって位置調整される。ＸＹステージＸＹＳ上にＺステージＺＳが設置されている。ＢＳは精密定盤でＸＹステージＸＹＳを支持している。
【００２７】
ここでは最終レンズＬとして凸レンズを用いているが、光学的にパワーをほとんど持たない平板ガラスを用いて投影光学系を構成することも可能である。
【００２８】
投影光学系終端部６の下面に沿って液膜を検知するためのセンサなどが配置されているが、これについては後述する。
【００２９】
１ａは液体供給回収装置であり、給水管８ａから純水の供給を受け、接続管２ａによってフィルタ３ａに接続されている。給水管８ａは純水製造設備に接続されている。フィルタ３ａは液体から不純物を除去する。フィルタ３ａには液体供給回収管４ａが接続されている。液体供給回収管４ａの先端部にノズル５ａが形成されている。ノズル５ａの先端は投影露光系終端部６の下面のエッジ近傍に配置されている。
【００３０】
ノズル５ａから放出された液体が投影光学系終端部６とウエハＷの間の空間を満たし、液膜７が形成される。またノズル５ａは必要な場合には液膜７を形成している液体を吸入するようになっている。前記の放出および吸入は液体供給回収装置１ａによって制御される。
【００３１】
液膜７は露光光を吸収することなく透過させなければならず、さらにウエハＷに塗布されているレジストを侵食してはならないので、液膜７を形成する液体として純水を用いている。
【００３２】
液体供給回収装置１ｂ、接続管２ｂ、フィルタ３ｂ、液体供給回収管４ｂ、ノズル５ｂ、給水管８ｂはそれぞれ液体供給回収装置１ａ、接続管２ａ、フィルタ３ａ、液体供給回収管４ａ、ノズル５ａ、給水管８ａと同等の働きをするように構成されている。ノズル５ｂの先端は投影光学系終端部６をはさんでノズル５ａの反対側に配置されている。
【００３３】
図１においてウエハＷを右に移動させる際には、液体供給回収装置１ａが内部に蓄えている液体をポンプで送出する。液体は接続管２ａを通ってフィルタ３ａに送られ、ここで不純物を取り除いた上で液体供給回収管４ａに送られ、ノズル５ａからウエハＷ上に放出され、これにより液膜７が保持される。一方ウエハＷの移動に伴って液膜７の右端部分が投影光学系先端部６の下面からはみ出そうとするが、ノズル５ｂから液体を吸引することにより液膜のはみ出しを防ぐことができる。ノズル５ｂから吸引された液体は液体供給回収管４ｂを通ってフィルタ３ｂに送られて不純物を取り除かれ、接続管２ｂを通って液体供給回収装置１ｂに蓄えられる。
【００３４】
図１においてウエハＷを左に移動させる際には、以上説明した動作を左右逆に行う。
【００３５】
短い周期でウエハＷを左右に往復させると、ノズル５ａおよび５ｂが液体の吸引と放出を繰り返すことになる。その場合、吸引された液体がフィルタ３ａおよび３ｂに到達することなくふたたび放出されることがある。これは好ましいことではないが、外界と接する時間が短時間であれば実用上問題ないと考えられる。
【００３６】
なお図１においては説明の都合上、投影光学系終端部６とノズル５ａおよび５ｂが離れて配置されている。良好な露光精度を得るためには液膜７の厚さは０．１ｍｍ程度にする必要があるとされており、実際には投影光学系終端部６の下面のエッジとノズル５ａおよび５ｂはごく近くに配置する必要がある。そのためにたとえばノズル５ａおよび５ｂを投影光学系終端部６の鏡筒内部に埋め込むことも可能である。
【００３７】
またここでは図１を一方向の断面図として示したので、液体を放出または吸入するノズルとしてノズル５ａおよび５ｂの２個だけが示されている。しかし実際にはウエハＷがＸＹ平面上であらゆる方向に移動するから、それに対応して液膜７を保持しつづけるために、ノズルを投影光学系終端部６の外周近傍に追加することが望ましい。
【００３８】
以上説明したような各部の協調的な動作を制御するのがコントローラＣである。コントローラＣは不図示のマイクロプロセサやメモリＭＥＭなどで構成され、露光装置内の制御系と通信手段で接続されるとともに、製造ラインを統括するホストコンピュータとも通信手段で接続されている。
【００３９】
以上が液膜（液体）検知手段を除く部分の説明である。
【００４０】
以下に液膜（液体）検知手段による液膜（液体）消失の検知および液膜（液体）の消失位置推定について説明する。
【００４１】
図２は図１に示した液浸式露光装置の投影光学系終端部付近を拡大した図で、液膜７が適切に保持された状態を示している。鏡筒ＬＢ内にセンサＳＳ１およびＳＳ２が設けられている。センサＳＳ１とＳＳ２はともに送光器と受光器を備えるものであり、液膜の外周すなわち液膜境界Ｂで囲まれる空間に設置されている。センサＳＳ１およびＳＳ２から送光された光は液膜７内で反射を繰り返しながら進行し、送光したセンサ自身とは別のセンサによって受光される。ここでは、送光器としてＬＥＤ、受光器としてフォトトランジスタを使用する。
【００４２】
Ｐ１はセンサＳＳ１から送光されセンサＳＳ２によって受光される光の光路の例である。この光は露光光とは異なる波長を有する光であり、光路Ｐ１にそって進む光は進行過程で減衰する。減衰の主な要因としては、液膜７内での吸収のほか、ウエハＷと最終レンズＬで反射されずに透過してしまうことがあげられる。最終レンズＬの下面における光の反射量は、最終レンズＬと液膜７それぞれの屈折率の組み合わせで変化する。同様にウエハＷにおける光の反射量はウエハＷ上に塗布されたレジストと液膜７それぞれの屈折率の組み合わせで変化する。
【００４３】
センサＳＳ１とＳＳ２の送光特性と受光特性が等しくなるように構成してあれば、センサＳＳ１から送光されセンサＳＳ２で受光される光の強度と、センサＳＳ２から送光されセンサＳＳ１で受光される光の強度がほぼ等しい値として検知される。
【００４４】
また液膜７を形成する前に、あらかじめセンサＳＳ１とＳＳ２による測定を行っておけば、液体による減衰がなく、空気からウエハＷや最終レンズＬに光が入射する状態での受光量を知ることができ、液膜７の形成による受光量変化を知るための参照情報を得ることができる。このときにセンサＳＳ１とＳＳ２による光に検知量に差があれば、その差を誤差とみなして補正量を得ることができる。ウエハＷの表面状態はプロセスごとに異なる可能性があることを考えると、前記の測定はウエハの交換毎あるいはロット毎に行なうことが望ましい。もちろん、ウエハ上のショット毎に表面状態が異なる場合にはショット毎に変えても良い。
【００４５】
また液膜７が完全に形成されていることを本発明とは別の方法で確かめた上で、あらかじめセンサＳＳ１とＳＳ２により上記と同様な測定を行っておくことにより、液膜７が不完全な状態になったことによる受光量変化を知るための参照情報を得ることができる。この測定をウエハ毎またはロット毎に行なうことはできないから、使用する可能性のある代表的なウエハを用いて測定することが望ましい。
【００４６】
光のエネルギーを有効に利用するためにはセンサＳＳ１およびＳＳ２から送光される光は十分な指向性を持つことが望ましい。しかし後に説明するように多数のセンサを鏡筒内に設置し、センサが互いの光を受光できるようにするならば強い指向特性は必要ない。
【００４７】
ここまでは液膜７が正常に維持されている場合の説明である。（なお、ここで、「液膜が正常に維持されている」とは、少なくともウエハ上の露光領域を液膜が形成されている領域が含んでいる状態を言う。）
【００４８】
図３は図２と同じ部位の図で液膜７の右側の部分が消失した状態を示す。Ｐ２はこの状態においてセンサＳＳ１から送光されセンサＳＳ２によって受光される光の光路の例である。この場合センサＳＳ２から送光された光の一部は液膜境界Ｂの右側で反射されるから、液膜７が正常に維持されているときと比べ、センサＳＳ２によって受光される光の強度は変化する。センサＳＳ２によって受光される光の強度を変化させる要因としてはさらに、空気と液体とでは光の吸収量が異なること、空気中と液体中とでは最終レンズＬにおける反射量が異なること、空気中と液体中とではウエハＷにおける反射量が異なることがあげられる。これらの情報を組み合わせることで、光が液体中を進行した距離を推定することができる。
【００４９】
また光路Ｐ２にそって液膜境界Ｂの右側を光が通過する場合と逆方向に通過する場合とでは光の透過量が異なる。このように光路の方向による光強度の非対称性が起こるのは、入射角度によっては液体の側から空気の側に通過する光の一部が全反射してしまうからである。したがってセンサＳＳ１から送光されセンサＳＳ２で受光される光の強度と、逆にセンサＳＳ２から送光されセンサＳＳ１で受光される光の強度は等しくならず、左右どちらの側で液膜が消失したかを判断することができる。
【００５０】
以上説明したように二組の送光器と受光器を組み合わせることで、液膜の有無、液膜の一部の消失、液膜が消失した位置を推定できる。送光器と受光器を組み合わせは二組以上でも良く、増やせば増やすほど液膜の存在を細かく確認できる。
【００５１】
ステップアンドリピート方式の露光装置において、露光光照射中に液膜の消失が検出されたなら、検出された際に露光を行っていたショットは有効でないとされ、その旨はメモリＭＥＭに記憶され、後にホストコンピュータに通知される。
【００５２】
またステップアンドスキャン方式の露光装置においても同様に、露光光照射中に液膜の消失が検出されたなら、検出された際に露光を行っていたショットは有効に露光されていないとみなすことができる。ただし、当該ショット内の露光済み領域が液膜消失位置に相当する場合には有効でないとみなさず、有効に露光できたものと判断しても良い。露光後に液膜が焼失しても露光には影響がないからである。
【００５３】
図２および図３において、センサＳＳ１とＳＳ２は送光器と受光器を備えるものであった。しかし投影光学系終端部６とウエハＷのギャップＧの高さは０．１ｍｍ以下にする必要があるとされている。上記のようなセンサの構造で効率よく液膜７内に光を導入可能な送光器を構成するにはコストがかかるから、センサＳＳ１とＳＳ２を受光器だけで構成し、液膜７の外（例えば、投影光学系終端部６やその近傍の鏡筒）からほぼ水平方向にレーザー光を照射して送光器のかわりとすることも可能である。
【００５４】
以下に液膜７の一部消失が検出された際の液膜回復処理について図１と図３を用いて説明する。
【００５５】
以前に説明したように、液膜７を形成する液体は投影光学系終端部６の下端エッジ部分のノズルからしか供給されない。したがってウエハＷの移動中に液膜７の一部が消失した場合、そのままの状態でウエハＷを移動しつづけると液膜消失部分が広がってしまう可能性がある。したがって液膜７の一部の消失が検出されたらただちに液膜回復を試みなければならない。
【００５６】
ウエハＷの移動中に図３のような液膜消失が生じ、それが上記の方法で検出されたと仮定する。
【００５７】
まずただちにＸＹステージＸＹＳとＺステージＺＳを停止させると同時に、ノズル５ａおよび５ｂからの液体の放出と吸入を停止させる。
【００５８】
その後にノズル５ａから液体を放出させながらＸＹステージＸＹＳを駆動しウエハＷを右に移動させる。この間、センサＳＳ１およびＳＳ２を動作させつづけておく。
【００５９】
液膜７が完全に回復したことが確認されたならＸＹステージＸＹＳの駆動とノズル５ａからの液体の放出を停止させ、通常の動作に復帰する。
【００６０】
以上、一部の液膜消失からの復帰について説明したが、広範囲にわたる液膜消失が検出されたり、あるいは液膜回復処理を行ったにもかかわらず再び液膜消失が検出されたりした場合の対処について説明する。この場合は液膜形成をやり直す。
【００６１】
なお、以下の動作のためには、センサ５ａおよび５ｂによる液膜検知が通常の露光時より広いギャップに対しても行えるようにしておく必要があり、そのためには以前に説明した参照情報の取得と同様な測定をあらかじめそのギャップにおいて行っておく必要がある。
【００６２】
まず上記と同様、ただちにＸＹステージＸＹＳとＺステージＺＳを停止させると同時に、ノズル５ａおよび５ｂからの液体の放出と吸入を停止させる。
次にＺステージＺＳを下方向に駆動してギャップ部Ｇを０．５ｍｍ程度まで広げる。ギャップ部Ｇを広げる操作は液膜形成がゆっくり行われるようにするためのものである。ただし、液膜７の多くの部分が残っている場合にはＸＹステージＸＹＳを駆動していったんウエハＷを投影光学系終端部６から完全に退避させた後、ギャップ部Ｇを０．５ｍｍ程度まで広げるために十分な位置までＺステージＺＳを駆動して、ふたたびＸＹステージＸＹＳをもとの位置に戻す。
【００６３】
次いでひとつのノズル、たとえばノズル５ａから液体を放出させながらゆっくりとウエハＷを液体放出中のノズルと反対の側、つまりこの場合は右方向に移動させる。このときセンサＳＳ１とＳＳ２は動作しつづけており、液膜７が完全に形成されたことが確認できたらウエハＷの移動とノズル５ａからの液体放出を停止する。その後すべてのノズル、つまりこの場合ノズル５ａと５ｂから液体を吸引しながらＺステージＺＳを駆動してギャップ部Ｇが０．１ｍｍ程度になるようにし、通常の動作に戻る。
【００６４】
ここでは図１を用いて２つのノズルを用いる実施形態を説明したが、もちろんもっと多数のノズルを用いてもかまわない。その場合、液膜形成をやりなおす際には近接する複数のノズルから液体を放出してもよい。
【００６５】
また、液体の放出速度を時間とともに変動させることで、気泡が液膜内に取り残されたりすることなく均一に液膜形成を行うことができる。
【００６６】
また、液体の放出と同時にウエハＷを移動させる際に、移動速度を時間とともに変動させたり、本来の移動方向とは関係ないＺ方向やＹ方向、あるいは回転方向に振動させたりすることでも均一に液膜形成を行うことができる。
【００６７】
次いで多数のセンサを用いた液膜検知に関する別の実施形態を示す。
【００６８】
図４は投影光学系終端部６付近を上から見た図で、液膜７の一部が消失した状態を示している。センサＳＳ１およびＳＳ２は先に説明した通りであり、それらと同様に動作するセンサＳＳ３およびＳＳ４が配置されている。図４に示された４個のセンサはすべて互いに送光と受光が可能であり、すべてのセンサを別々のタイミングで動作させることができる。
【００６９】
図４においてはセンサＳＳ２の周辺だけ液膜７が消失しているので、液膜境界ＢがセンサＳＳ２の近くでレンズＬの側に侵入している。
【００７０】
まずセンサＳＳ１から送光して他のすべてのセンサで同時にまたは順次受光を行い、センサＳＳ１からの光を検知する。次いで同様にセンサＳＳ２から送光して他のすべてのセンサで受光する。こうしてすべてのセンサの組み合わせで送光と受光を行う。するとセンサＳＳ２による送光および受光に関してだけ、液膜７が適切に維持されているときと比べて光の検知量が著しく異なることがわかる。こうしてセンサＳＳ２の周囲で液膜が焼失していると判断することができる。
【００７１】
次いで液膜７の消失部分が大きく広がった状態について図５を用いて説明する。
【００７２】
図４における説明と同様に、すべてのセンサの組み合わせで送光と受光を行う。するとセンサＳＳ１とＳＳ３の間の送受光およびセンサＳＳ１とＳＳ４の間の送受光については、液膜７が適切に維持されているときと比べてわずかに光の検知量が増加する。これは液膜境界Ｂでの光の反射による影響である。しかし他のセンサの組み合わせによる光の送受光に関しては、光の検知量が著しく変化している。こうしてセンサＳＳ２の周囲だけでなく最終レンズＬの中央部付近まで液膜７が消失していると判断することができる。
【００７３】
なお、本実施例において、光源としてＦ２レーザー（波長約１５７ｎｍ）を用いた場合等には、液体としては、化学的に安定で、露光光に対する透過率が高く安全な液体であるフッ素系不活性液体を使用してもよい。
【００７４】
次に、前述した本発明の露光装置を利用したデバイスの製造方法の実施例を説明する。図６はデバイス（ＩＣやＬＳＩ等の半導体チップ、液晶パネルやＣＣＤ）の製造フローを示す。ステップ１（回路設計）では半導体デバイスの回路設計を行なう。ステップ２（マスク製作）では設計した回路パターンを形成したマスク（レチクル）を製作する。一方、ステップ３（ウエハ製造）ではシリコン等の材料を用いて基板としてのウエハを製造する。ステップ４（ウエハプロセス）は前工程と呼ばれ、上記用意したマスクとウエハとを用いて、リソグラフィー技術によってウエハ上に実際の回路を形成する。次のステップ５（組み立て）は後工程と呼ばれ、ステップ４よって作成されたウエハを用いてチップ化する工程であり、アッセンブリ工程（ダイシング、ボンディング）、パッケージング工程（チップ封入）等の工程を含む。ステップ６（検査）ではステップ５で作成された半導体デバイスの動作確認テスト、耐久性テスト等の検査を行なう。こうした工程を経て半導体デバイスが完成し、これが出荷（ステップ７）される。
【００７５】
図７は上記ウエハプロセスの詳細なフローを示す。ステップ１１（酸化）ではウエハの表面を酸化させる。ステップ１２ではウエハの表面に絶縁膜を形成する。ステップ１３（電極形成）ではウエハ上に電極を蒸着によって形成する。ステップ１４（イオン打ち込み）ではウエハにイオンを打ち込む。ステップ１５（レジスト処理）ではウエハにレジスト（感材）を塗布する。ステップ１６（露光）では前述の本発明の露光装置によってマスクの回路パタ−ンの像でウエハを露光する。ステップ１７（現像）では露光したウエハを現像する。ステップ１８（エッチング）では現像したレジスト以外の部分を削り取る。ステップ１９（レジスト剥離）ではエッチングが済んで不要となったレジストを取り除く。これらステップを繰り返し行なうことによりウエハ上に回路パタ−ンが形成される。
【００７６】
本実施例の製造方法を用いれば、従来は難しかった高集積度のデバイスを製造することが可能になる。
【００７７】
以上、本発明の好ましい実施の形態を説明したが、本発明はこれに限定されず、その要旨の範囲内で様々な変形や変更が可能である。
【００７８】
【発明の効果】
本発明によれば、従来よりも性能の良い液浸式露光装置を実現することができる。
【図面の簡単な説明】
【図１】本発明の一実施形態の全体構成図である。
【図２】投影光学系終端部付近の拡大図で液膜が保持された状態を示す図である。
【図３】投影光学系終端部付近の拡大図で液膜の一部が消失した状態を示す図である。
【図４】投影光学系終端部付近を上から見た図で液膜の一部が消失した状態を示す図である。
【図５】投影光学系終端部付近を上から見た図で液膜の多くの部分が消失した状態を示す図である。
【図６】デバイスの製造フローを示す図である。
【図７】図６中のウエハプロセスを示す図である。
【符号の説明】
Ｇ  ウエハ・レンズ間ギャップ
Ｌ  最終レンズ
ＬＢ  鏡筒
ＩＳ  照明装置
Ｍ  マスク
ＭＳ  マスクステージ
Ｐ１  光路
ＰＬ  投影光学系
ＳＳ１  センサ
ＳＳ２  センサ
ＳＳ３  センサ
ＳＳ４  センサ
Ｗ  ウエハ
ＸＹＳ  ＸＹステージ
ＺＳ  Ｚステージ
１ａ  液体供給回収装置
１ｂ  液体供給回収装置
３ａ  フィルタ
３ｂ  フィルタ
５ａ  ノズル
５ｂ  ノズル
６  投影光学系終端部
７  液膜
Ｂ  液膜境界
８ａ  給水管
８ｂ  給水管
Ｃ  コントローラ
ＭＥＭ  メモリ
Ｇ  ギャップ
【図１】
2005019616.tif 000003
【図２】
2005019616.tif 000004
【図３】
2005019616.tif 000005
【図４】
2005019616.tif 000006
【図５】
2005019616.tif 000007
【図６】
2005019616.tif 000008
【図７】
2005019616.tif 000009